(57)【要約】      （修正有）【課題】１つの休止スイッチで２台のエレベーターをそれぞれ個別に休止させることを可能とし、幅広く顧客要望に応じることができること。【解決手段】本発明は、上記課題を解決するために、既設の２台のエレベーターＡ、Ｂに対して１つのホール操作盤１Ａが設置されていて、前記エレベーターＡ、Ｂの休止運転が、前記ホール操作盤１Ａに設置されている休止スイッチ６を操作することにより行われる。前記休止スイッチ６は２つの接点ａ及びｂを有し、それぞれの接点a及びｂがそれぞれ引き出し線を介して前記エレベーターＡ、Ｂを制御する制御盤Ａ、Ｂに接続され、前記休止スイッチを操作して前記接点ａをＯＮした際には、その信号を前記制御盤Ａに送信して前記エレベーターＡを、前記休止スイッチを操作して前記接点ｂをＯＮした際には、その信号を前記制御盤Ｂに送信して前記エレベーターＢを休止運転することを特徴とする。【選択図】図３
2018184273.tif 000002
【特許請求の範囲】
【請求項１】
既設の２台のエレベーターＡ、Ｂに対して１つのホール操作盤が設置されていて、前記エレベーターＡ、Ｂの休止運転が、前記ホール操作盤に設置されている休止スイッチを操作することにより行われるエレベーター装置であって、
前記休止スイッチは２つの接点ａ及びｂを有し、それぞれの接点a及びｂがそれぞれ引き出し線を介して前記エレベーターＡ、Ｂを制御する制御盤Ａ、Ｂに接続され、前記休止スイッチを操作して前記接点ａをＯＮした際には、その信号を前記制御盤Ａに送信して前記エレベーターＡを、前記休止スイッチを操作して前記接点ｂをＯＮした際には、その信号を前記制御盤Ｂに送信して前記エレベーターＢを休止運転することを特徴とするエレベーター装置。
【請求項２】
請求項１に記載のエレベーター装置において、
前記休止スイッチはスプリングバック式キースイッチであり、
前記スプリングバック式キースイッチにキーを差込み、右側に回すと一方の接点ｂが動作して休止運転用の入力信号を前記制御盤Ｂに送信し、一定時間入力信号が継続することで前記エレベーターＢが休止運転を行い、キーを左側に回すともう一方の接点ａが動作して休止運転用の入力信号を前記制御盤Ａに送信し、一定時間入力信号が継続することで前記エレベーターＡが休止運転を行うことを特徴とするエレベーター装置。
【請求項３】
請求項２に記載のエレベーター装置において、
前記ホール操作盤には、前記エレベーターＡ、Ｂそれぞれの運転状態を示す信号灯Ａ、Ｂが設置されており、
前記スプリングバック式キースイッチにキーを差込み、一定時間右側に回すことで前記エレベーターＢ用の信号灯Ｂに「休止」が点灯し、前記エレベーターＢが休止運転に移行することを特徴とするエレベーター装置。
【請求項４】
請求項２又は３に記載のエレベーター装置において、
前記エレベーターＡ、Ｂが休止した後に平常運転に復帰する際には、前記スプリングバック式キースイッチにキーを差込み、右側に回すと一方の接点ｂが動作して平常運転用の入力信号を前記制御盤Ｂに送信し、一定時間入力信号が継続することで前記エレベーターＢが平常運転を行い、キーを左側に回すともう一方の接点ａが動作して平常運転用の入力信号を前記制御盤Ａに送信し、一定時間入力信号が継続することで前記エレベーターＡが平常運転を行うことを特徴とするエレベーター装置。
【請求項５】
請求項１に記載のエレベーター装置において、
前記休止スイッチは波型スイッチであり、
前記波型スイッチは、前記エレベーターＡ用及びＢ用の２つが前記ホール操作盤にスライドカバーに覆われて設置され、前記エレベーターＡ用の前記波型スイッチが操作された際には、前記接点ａが動作して休止運転用の入力信号を前記制御盤Ａに送信することで前記エレベーターＡが休止運転を行い、前記エレベーターＢ用の前記波型スイッチが操作された際には、前記接点ｂが動作して休止運転用の入力信号を前記制御盤Ｂに送信することで前記エレベーターＢが休止運転を行うことを特徴とするエレベーター装置。
【請求項６】
既設の２台のエレベーターＡ、Ｂに対して１つのホール操作盤に設置されている休止スイッチを操作することにより、前記エレベーターＡ、Ｂの休止運転が行われるエレベーター装置の運転方法であって、
前記休止スイッチにキーを差し込み、休止させるエレベーターが前記エレベーターＡなら左方向に、前記エレベーターＢなら右方向に一定時間前記キーを回す工程Ａと、前記キーの操作により、前記ホール操作盤に設置されている前記エレベーターＡ、Ｂのそれぞれの運転状態を示す信号灯Ａ、Ｂの前記キーを回した側の信号灯Ａ又はＢに「休止」が点灯する工程Ｂと、前記信号灯Ａ又はＢに「休止」が点灯するタイミングで前記キーを回した側の前記エレベーターＡ又はＢは休止運転を開始し、任意に設定された休止階へ移動を開始する工程Ｃと、休止運転を開始した前記エレベーターＡ又はＢがかご呼びがある階に着床しながら休止階まで移動する工程Ｄと、休止階に着床後、前記ホール操作盤に設置されているかご位置表示灯が消灯し、前記信号灯Ａ又はＢに「休止」を表示した状態で前記エレベーターＡ又はＢが休止する工程Ｅと、１台の前記エレベーターＡ又はＢのみを休止状態にする場合は操作を終了し、２台の前記エレベーターＡ、Ｂとも休止状態にする場合は前記工程Ａから前記工程Ｅの手順を繰り返し行い、対象の前記エレベーターＡ、Ｂを全て休止させる工程Ｆとを行うことを特徴とするエレベーター装置の運転方法。
【請求項７】
請求項６に記載のエレベーター装置の運転方法において、
前記工程Ａで前記キーを回す時間が所定の時間に満たない場合は、前記信号灯Ａ又はＢに「休止」を表示させないことを特徴とするエレベーター装置の運転方法。
【請求項８】
請求項６又は７に記載のエレベーター装置の運転方法において、
前記エレベーターＡ、Ｂが休止した後に平常運転に復帰する際には、休止状態から平常運転に復帰させるエレベーターが前記エレベーターＡなら左方向に、前記エレベーターＢなら右方向に一定時間前記キーを回す工程Ｇと、前記キーの操作により、前記キーを回した側の前記信号灯Ａ又はＢの「休止」が消灯する工程Ｈと、前記信号灯Ａ又はＢの「休止」が消灯するタイミングで前記キーを回した側の前記エレベーターＡ又はＢが休止状態から平常運転に復帰する工程Ｉと、復帰するエレベーターが１台の場合は操作を終了し、復帰するエレベーターが２台とも休止状態から平常運転に復帰する場合は前記工程Ｇから前記工程Ｉの手順を繰り返し、対象の前記エレベーターＡ、Ｂを全て平常運転に復帰させる工程Ｊとを行うことを特徴とするエレベーター装置の運転方法。
【発明の詳細な説明】
【技術分野】
【０００１】
本発明はエレベーター装置及びその運転方法に係り、特に、既設の２台のエレベーターを１つの休止スイッチを操作して、２台のエレベーターそれぞれを個別に休止させるものに好適なエレベーター装置及びその運転方法に関する。
【背景技術】
【０００２】
一般に、既設のエレベーターの休止運転を行う場合には、ホール操作盤に設けた休止スイッチを操作する必要があり、エレベーター１台を休止させるにあたり１つの休止スイッチが必要であった。また、既設のエレベーターが２台ある場合には、休止スイッチを２つ使用し、２台のエレベーターをそれぞれ個別に休止させる方式と、休止スイッチを１つだけとし、２台のエレベーターを同時に休止させる方式がある。
【０００３】
なお、既設の２台のエレベーターが同一建屋内に設置されている先行技術文献としては、特許文献１を挙げることができる。この特許文献１には、同一建屋内に２台並設して設けられた群管理エレベーター用乗場表示装置が記載されている。
【先行技術文献】
【特許文献】
【０００４】
【特許文献１】特開２００６−８３８７号公報
【発明の概要】
【発明が解決しようとする課題】
【０００５】
しかしながら、上述した従来技術では、２台のエレベーターをそれぞれ個別に休止させる場合、休止スイッチが２つ必要となる。
【０００６】
特に、リニューアル物件に関しては、ホール操作盤を新製品に交換する場合、既設の操作盤収納スペースを流用しなければならないことがあり、新製品のホール操作盤を既設の収納スペースに納めるためには、休止スイッチが１つしか付けられない場合があるため、エレベーター２台に対して１つの休止スイッチで同時に休止、又は片方のエレベーターのみを休止といった運用をしており、２台のエレベーターをそれぞれ個別に休止させることができず顧客の要望に答えられないケースがあった。
【０００７】
本発明は上述の点に鑑みなされたもので、その目的とするところは、１つの休止スイッチで２台のエレベーターをそれぞれ個別に休止させることを可能とし、幅広く顧客要望に応じることのできるエレベーター装置及びその運転方法を提供することにある。
【課題を解決するための手段】
【０００８】
本発明のエレベーター装置は、上記目的を達成するために、既設の２台のエレベーターＡ、Ｂに対して１つのホール操作盤が設置されていて、前記エレベーターＡ、Ｂの休止運転が、前記ホール操作盤に設置されている休止スイッチを操作することにより行われるエレベーター装置であって、前記休止スイッチは２つの接点ａ及びｂを有し、それぞれの接点a及びｂがそれぞれ引き出し線を介して前記エレベーターＡ、Ｂを制御する制御盤Ａ、Ｂに接続され、前記休止スイッチを操作して前記接点ａをＯＮした際には、その信号を前記制御盤Ａに送信して前記エレベーターＡを、前記休止スイッチを操作して前記接点ｂをＯＮした際には、その信号を前記制御盤Ｂに送信して前記エレベーターＢを休止運転することを特徴とする。
【０００９】
また、本発明のエレベーター装置の運転方法は、上記目的を達成するために、既設の２台のエレベーターＡ、Ｂに対して１つのホール操作盤に設置されている休止スイッチを操作することにより、前記エレベーターＡ、Ｂの休止運転が行われるエレベーター装置の運転方法であって、前記休止スイッチにキーを差し込み、休止させるエレベーターが前記エレベーターＡなら左方向に、前記エレベーターＢなら右方向に一定時間前記キーを回す工程Ａと、前記キーの操作により、前記ホール操作盤に設置されている前記エレベーターＡ、Ｂのそれぞれの運転状態を示す信号灯Ａ、Ｂの前記キーを回した側の信号灯Ａ又はＢに「休止」が点灯する工程Ｂと、前記信号灯Ａ又はＢに「休止」が点灯するタイミングで前記キーを回した側の前記エレベーターＡ又はＢは休止運転を開始し、任意に設定された休止階へ移動を開始する工程Ｃと、休止運転を開始した前記エレベーターＡ又はＢがかご呼びがある階に着床しながら休止階まで移動する工程Ｄと、休止階に着床後、前記ホール操作盤に設置されているかご位置表示灯が消灯し、前記信号灯Ａ又はＢに「休止」を表示した状態で前記エレベーターＡ又はＢが休止する工程Ｅと、１台の前記エレベーターＡ又はＢのみを休止状態にする場合は操作を終了し、２台の前記エレベーターＡ又はＢとも休止状態にする場合は前記工程Ａから前記工程Ｅの手順を繰り返し行い、対象の前記エレベーターＡ、Ｂを全て休止させる工程Ｆとを行うことを特徴とする。
【発明の効果】
【００１０】
本発明によれば、１つの休止スイッチで２台のエレベーターをそれぞれ個別に休止させることを可能とし、幅広く顧客要望に応じることができる。
【図面の簡単な説明】
【００１１】
【図１】本発明のエレベーター装置の実施例１に採用されるホール操作盤の全体構成を示す斜視図である。
【図２】本発明のエレベーター装置の実施例１に採用されるホール操作盤に設けた休止スイッチの例としてスプリングバック式キースイッチを示す斜視図である。
【図３】本発明のエレベーター装置の実施例１に採用されるホール操作盤に設けた休止スイッチの配線例を示す斜視図である。
【図４】本発明のエレベーター装置の実施例１に採用されるホール操作盤に設けた休止スイッチによる休止運転操作前の図である。
【図５】本発明のエレベーター装置の実施例１に採用されるホール操作盤に設けた休止スイッチによる休止運転操作後の図である。
【図６】本発明のエレベーター装置の実施例１に採用されるホール操作盤に設けた休止スイッチによる休止運転完了時の図である。
【図７】本発明のエレベーター装置の運転方法の実施例１における休止運転の動作を示すフローチャートである。
【図８】本発明のエレベーター装置の運転方法の実施例１における休止運転から平常運転への復帰動作を示すフローチャートである。
【図９】本発明のエレベーター装置の実施例２に採用されるホール操作盤の全体構成を示す斜視図である。
【発明を実施するための形態】
【００１２】
以下、図示した実施例に基づいて本発明のエレベーター装置及びその運転方法を説明する。なお、各図において、同一構成部品には同符号を使用する。
【実施例１】
【００１３】
図１から図３に、本発明のエレベーター装置の実施例１を示し、図１は、本発明のエレベーター装置の実施例１に採用されるホール操作盤の全体構成を、図２は、本発明のエレベーター装置の実施例１に採用されるホール操作盤に設けた休止スイッチの例を、図３は、本発明のエレベーター装置の実施例１に採用されるホール操作盤に設けた休止スイッチの配線例をそれぞれ示す。
【００１４】
図１に示すように、本実施例のエレベーター装置に採用されるホール操作盤１Ａには、操作する人が見たときにエレベーターの状態が分かるようにエレベーターの移動する方向を示す方向灯２と、エレベーターのかごが何階にあるかを示すかご位置表示灯３と、休止中などエレベーターの運転状態を示す信号灯４Ａ、４Ｂとが設置されている。また、操作する部分としてエレベーターのかご呼び釦５と休止スイッチ６が設置されている。
【００１５】
上記休止スイッチ６は、図２に示すように、２つの接点（図示しないが左号機（エレベーターＡ）の接点ａと右号機（エレベーターＢ）の接点ｂを持つ）を持ち、それぞれの接点ａ及びｂがそれぞれ引き出し線７ａ及び７ｂを有するスプリングバック式のキースイッチであり、キーを差込み右側に回すと一方の接点ｂをＯＮして休止運転用の入力信号を出し、一定時間入力信号が継続することで右号機（エレベーターＢ）が休止運転を行い、左側に回すともう一方の接点ａをＯＮして休止運転用の入力信号を出し、一定時間入力信号が継続することで左号機（エレベーターＡ）が休止運転を行う。
【００１６】
また、エレベーター休止後に平常運転に復帰する場合は、休止スイッチ６にキーを差込み右側に回すと一方の接点ｂがＯＮして平常運転用の入力信号を出し、一定時間入力信号が継続することで右号機（エレベーターＢ）が平常運転に復帰し、キーを左側に回すと一方の接点ａがＯＮして平常運転用の入力信号を出し、一定時間入力信号が継続することで左号機（エレベーターＡ）が平常運転に復帰する構成となっている。
【００１７】
なお、休止スイッチ６は、スプリングバック式のキースイッチとなっているため、右側若しくは左側にキーを回した後は自動的に中央の位置に戻る。
【００１８】
また、ホール操作盤１Ａに設けた休止スイッチ６の配線例を示す図３のように、休止スイッチ６の２つの接点ａ及びｂに接続される２本の引き出し線７ａ及び７ｂを塔内ケーブル９を使用して機械室１１まで敷設し、左号機（エレベーターＡ）１０Ａ休止用の接点ａを左号機用制御盤８Ａに引き込み、右号機（エレベーターＢ）１０Ｂ休止用の接点ｂを右号機用制御盤８Ｂに引き込むことで、休止スイッチ６の入力信号をそれぞれ取り込み休止運転の制御を可能とするものである。
【００１９】
即ち、本実施例では、休止スイッチ６は２つの接点ａ及びｂを有し、それぞれの接点a及びｂがそれぞれ引き出し線７ａ及び７ｂを介して右号機（エレベーターＢ）１０Ｂ、左号機（エレベーターＡ）１０Ａを制御する左号機用制御盤８Ａ及び右号機用制御盤８Ｂに接続され、休止スイッチ６を操作して接点ｂをＯＮした際には、その信号を右号機用制御盤８Ｂに送信して右号機（エレベーターＢ）１０Ｂを、休止スイッチ６を操作して接点ａをＯＮした際には、その信号を左号機用制御盤８Ａに送信して左号機（エレベーターＡ）１０Ａを休止運転する。
【００２０】
具体的には、休止スイッチ６はスプリングバック式キースイッチであり、このスプリングバック式キースイッチにキーを差込み、右側に回すと一方の接点ｂが動作して休止運転用の入力信号を右号機用制御盤８Ｂに送信し、一定時間入力信号が継続することで左号機（エレベーターＢ）１０Ｂが休止運転を行い、キーを左側に回すともう一方の接点ａが動作して休止運転用の入力信号を左号機用制御盤８Ａに送信し、一定時間入力信号が継続することで右号機（エレベーターＡ）１０Ａが休止運転を行うものである。
【００２１】
図４から図６は、任意の階に設置した休止スイッチ６を使用し、エレベーターの右号機（エレベーターＢ）１０Ｂのみを任意の休止階に休止させるまでの一連の動作を示す。
【００２２】
図４に、本発明のエレベーター装置の実施例１に採用されるホール操作盤１Ａに設けた休止スイッチ６による休止運転操作前の状態を示す。
【００２３】
該図において、休止スイッチ６を一定時間右側に回すことで右号機用の信号灯４Ｂに「休止」が点灯し、右号機（エレベーターＢ）１０Ｂが休止運転に移行する(図５の状態)。信号灯４Ｂに「休止」を点灯することで、休止スイッチ６の操作者は、エレベーターの運転状態が休止運転に移行したと認知することが可能となる。
【００２４】
休止運転を開始した右号機（エレベーターＢ）１０Ｂは、任意に設定した休止階に着床後に休止状態となり、かご位置表示灯３が消灯し、信号灯４Ｂの「休止」のみ点灯した状態となる(図６の状態)。
【００２５】
なお、エレベーターの休止中の信号灯４Ａ又は４Ｂの「休止」表示は、休止スイッチ６の設置階若しくは他階での表示も設定が可能である。
【００２６】
本実施例のホール操作盤１Ａに設けた休止スイッチ６によるエレベーターの休止までの運転方法について、図７を用いて説明する。
【００２７】
該図に示すように、本実施例のエレベーターの休止までの運転方法は、休止スイッチ６にキーを差し込み、休止させる号機が左号機（エレベーターＡ）１０Ａなら左方向に、右号機（エレベーターＢ）１０Ｂなら右方向に一定時間、例えば０．５秒間キーを回す工程Ａ（手順Ｓ１）と、キーの操作により、キーを回した側の信号灯４Ａ又は４Ｂに「休止」が点灯する工程Ｂ（手順Ｓ２）と（なお、キーを回す時間が０．５秒に満たない場合は、エレベーターが休止運転に切り替わらないことを操作者が認知できないことを防止するために信号灯４Ａ又は４Ｂに「休止」を表示させない制御を行う）と、信号灯４Ａ又は４Ｂに「休止」が点灯するタイミングでキーを回した側の左号機（エレベーターＡ）１０Ａ又は右号機（エレベーターＢ）１０Ｂは休止運転を開始し、任意に設定された休止階へ移動を開始する工程Ｃ（手順Ｓ３）と、休止運転を開始した左号機（エレベーターＡ）１０Ａ又は右号機（エレベーターＢ）１０Ｂが、かご呼びがある階に着床しながら休止階まで移動する工程Ｄ（手順Ｓ４）と、休止階に着床後、かご位置表示灯３を消灯し、信号灯４Ａ又は４Ｂに「休止」を表示した状態で左号機（エレベーターＡ）１０Ａ又は右号機（エレベーターＢ）１０Ｂが休止する工程Ｅ（手順Ｓ５）と、１台の左号機（エレベーターＡ）１０Ａ又は右号機（エレベーターＢ）１０Ｂのみを休止状態にする場合は操作を終了し、２台の左号機（エレベーターＡ）１０Ａ、右号機（エレベーターＢ）１０Ｂとも休止状態にする場合は、工程Ａ（手順Ｓ１）から工程Ｅ（手順Ｓ５）を繰り返し行い、対象の左号機（エレベーターＡ）１０Ａ、右号機（エレベーターＢ）１０Ｂを全て休止させる工程Ｆ（手順Ｓ６）とを行う。
【００２８】
また、本実施例のホール操作盤１Ａに設けた休止スイッチ６によるエレベーターを休止状態から平常運転に復帰させるまでの運転方法について、図８を用いて説明する。
【００２９】
該図に示すように、本実施例のエレベーターの休止状態から平常運転に復帰させるまでの運転方法は、休止状態から平常運転に復帰させるエレベーターが左号機（エレベーターＡ）１０Ａなら左方向に、右号機（エレベーターＢ）１０Ｂなら右方向に一定時間キーを回す工程Ｇ（手順Ｓ７）と、キーの操作により、このキーを回した側の信号灯４Ａ又は４Ｂの「休止」が消灯する工程Ｈ（手順Ｓ８）と、信号灯４Ａ又は４Ｂの「休止」が消灯するタイミングでキーを回した側の左号機（エレベーターＡ）１０Ａ又は右号機（エレベーターＢ）１０Ｂが休止状態から平常運転に復帰する工程Ｉ（手順Ｓ９）と、復帰するエレベーターが１台の左号機（エレベーターＡ）１０Ａ又は右号機（エレベーターＢ）１０Ｂ場合は操作を終了し、復帰するエレベーターが２台の左号機（エレベーターＡ）１０Ａ、右号機（エレベーターＢ）１０Ｂとも休止状態から平常運転に復帰する場合は工程Ｇから工程Ｉの手順を繰り返し、対象の左号機（エレベーターＡ）１０Ａ、右号機（エレベーターＢ）１０Ｂを全て平常運転に復帰させる工程Ｊ（手順Ｓ１０）とを行う。
【００３０】
このような本実施例とすることにより、２台の左号機（エレベーターＡ）１０Ａ、右号機（エレベーターＢ）１０Ｂの休止操作を、１つのキースイッチで実施することができることは勿論、リニューアル物件に関しては、既設のホール操作盤収納スペース等の限られたスペースへの操作盤設置も可能となる。
【００３１】
従って、本実施例によれば、１つの休止スイッチで２台の左号機（エレベーターＡ）１０Ａ、右号機（エレベーターＢ）１０Ｂをそれぞれ個別に休止させることを可能とし、幅広く顧客要望に応じることができる
【実施例２】
【００３２】
図９に、本発明のエレベーター装置の実施例２に採用されるホール操作盤の全体構成を示す。
【００３３】
実施例１では、エレベーターの休止手段として、従来の休止スイッチの操作方法と比較し大きな差異がない方法を上げたが、前記以外の休止スイッチ６としてスプリングバック式のキースイッチの代替となるようなものを使用してもよい。
【００３４】
例えば、図９に示すように、ホール操作盤１Ｂに鍵付きのスライドカバー１２を設け、その中に小スペースでも設置可能な波型スイッチ１３を左号機（エレベーターＡ）１０Ａ用、右号機（エレベーターＢ）１０Ｂ用に２つ設け、波型スイッチ１３を休止側にした号機（左号機（エレベーターＡ）１０Ａ又は右号機（エレベーターＢ）１０Ｂ）は、実施例１と同様に休止運転を行い、任意に設定した休止階に着床する。
【００３５】
即ち、波型スイッチ１３は、左号機（エレベーターＡ）１０Ａ用及び右号機（エレベーターＢ）１０Ｂ用の２つがホール操作盤１Ｂにスライドカバー１２に覆われて設置され、左号機（エレベーターＡ）１０Ａ用の波型スイッチ１３が操作された際には、接点ａが動作して休止運転用の入力信号を左号機用制御盤８Ａに送信することで左号機（エレベーターＡ）１０Ａが休止運転を行い、右号機（エレベーターＢ）１０Ｂ用の波型スイッチ１３が操作された際には、接点ｂが動作して休止運転用の入力信号を右号機用制御盤８Ｂに送信することで右号機（エレベーターＢ）１０Ｂが休止運転を行う。
【００３６】
ただし、実施例２の場合は、実施例１のスプリングバック式のキースイッチを用いた休止スイッチ６とは異なり、自動で接点が離れることがなく、波型スイッチ１３を休止側にすることで入力が入り続けるため、波型スイッチ１３を操作した段階で信号灯４Ａ又は４Ｂに「休止」を点灯させる必要はなく、従来の休止運転時と同様にエレベーターが任意に設定した休止階に停止したタイミングで信号灯４Ａ又は４Ａに「休止」を点灯させればよい。
【００３７】
このような本実施例の構成であっても、実施例１と同様な効果を得ることができる。
【００３８】
なお、上記した実施例は本発明を分かり易く説明するために詳細に説明したものであり、必ずしも説明した全ての構成を備えるものに限定されるものではない。また、ある実施例の構成の一部を他の実施例の構成を置き換えることが可能であり、また、ある実施例の構成に他の実施例の構成を加えることも可能である。また、各実施例の構成の一部について、他の構成の追加・削除・置換をすることが可能である。
【符号の説明】
【００３９】
１Ａ、１Ｂ…ホール操作盤、２…方向灯、３…かご位置表示灯、４Ａ、４Ｂ…信号灯、５…かご呼び釦、６…休止スイッチ、７ａ、７ｂ…引き出し線、８Ａ…左号機用制御盤、８Ｂ…右号機用制御盤、９…塔内ケーブル、１０Ａ（エレベーターＡ）…左号機、１０Ｂ（エレベーターＢ）…右号機、１１…機械室、１２…スライドカバー、１３…波型スイッチ。
【図１】
2018184273.tif 000003
【図２】
2018184273.tif 000004
【図３】
2018184273.tif 000005
【図４】
2018184273.tif 000006
【図５】
2018184273.tif 000007
【図６】
2018184273.tif 000008
【図７】
2018184273.tif 000009
【図８】
2018184273.tif 000010
【図９】
2018184273.tif 000011